【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
動画像データを入力する入力手段と、
前記動画像データを符号化する符号化手段と、
前記符号化手段により出力された符号化動画像データを第１の記録媒体に記録する第１の記録手段と、
前記符号化手段により出力された符号化動画像データを第２の記録媒体に記録する第２の記録手段と、
前記第１の記録媒体と前記第２の記録媒体のうち一方を選択して前記符号化動画像データを記録させる選択手段と、
前記符号化手段により出力される符号化動画像データの発生符号量を制御する符号量制御手段と、
前記選択手段の選択結果に応じて前記符号量制御手段による制御手順を変更する変更手段とを備える画像処理装置。
【請求項２】
前記符号化手段は符号化すべき前記動画像データの状態に応じて符号量の割り当てを変更する可変ビットレート符号化方式により前記動画像データを符号化し、前記変更手段は、前記選択手段の選択結果に応じて、前記符号量制御手段による符号量制御パラメータを変更することを特徴とする請求項１記載の画像処理装置。
【請求項３】
前記符号量制御パラメータは前記符号化動画像データのデータレートを目標データレートに収束させるまでの前記動画像データの記録開始からの目標時間であることを特徴とする請求項２記載の画像処理装置。
【請求項４】
前記符号量制御手段は前記符号化動画像データの発生符号量に基づいて前記符号化動画像データのデータレートを変化させて目標データレートに近づけるよう前記符号化手段を制御し、前記符号量制御パラメータは前記符号化動画像データのデータレートを変化させる際の変化量に関するパラメータであることを特徴とする請求項２記載の画像処理装置。
【請求項５】
前記符号量制御手段は前記符号化動画像データのデータレートを所定の比較値と比較した比較結果に基づいて前記符号化動画像データのデータレートを変化させるよう前記符号化手段を制御し、前記符号量制御パラメータは前記比較値であることを特徴とする請求項２記載の画像処理装置。
【請求項６】
前記変更手段は前記選択手段の選択結果に応じて、前記比較値の設定手順を変更することを特徴とする請求項５記載の画像処理装置。
【請求項７】
前記変更手段は前記比較値を記録開始の指示に応じて所定値から徐々に目標データレートに対応した値まで変化させると共に、前記比較値を前記目標データレートに対応した値まで変化させるまでの期間を前記選択手段の選択結果に応じて変更することを特徴とする請求項６記載の画像処理装置。
【請求項８】
前記符号量制御手段は前記符号化動画像データの発生符号量と前記動画像データの複雑度の情報とに基づいて前記符号化動画像データのデータレートを変化させて所定の目標データレートに近づけるよう前記符号化手段を制御し、前記符号量制御パラメータは前記複雑度の情報を前記符号量制御手段による符号量制御の処理に反映させる程度に関するパラメータであることを特徴特徴とする請求項２記載の画像処理装置。
【請求項９】
前記符号量制御手段は、前記複雑度の情報に基づいて前記目標データレートの値を前記所定の目標データレートとは異なる値に設定する第１のモードと、前記複雑度の情報にかかわらず前記目標データレートの値を一定値に設定する第２のモードとを有し、前記変更手段は前記選択手段の選択結果に応じて前記第１のモードと第２のモードを切り替えることにより前記符号量制御手段による制御手順を変更することを特徴とする請求項８記載の画像処理装置。
【請求項１０】
前記符号化手段は符号化すべき前記動画像データの状態に応じて符号量の割り当てを変更する可変ビットレート符号化方式により前記動画像信号を符号化し、前記符号量制御手段は、前記符号化動画像データのデータレートが目標データレートに近づくよう前記符号化手段を制御する第１のモードと、前記符号化動画像データのデータレートが前記目標データレートに基づいて設定された範囲内となるよう前記符号化手段を制御する第２のモードとを有し、前記変更手段は前記選択手段の選択結果に応じて前記第１のモードと第２のモードとを切り替えることにより前記符号量制御手段による制御手順を変更することを特徴とする請求項１記載の画像処理装置。
【請求項１１】
前記第２のモードにおいて、前記符号量制御手段は、前記符号化動画像データのデータレートが前記目標データレートに近づくよう制御せずに、前記符号化動画像データのデータレートが前記目標データレートに基づいて設定された最大データレート及び最小データレートの範囲内となるよう前記符号化手段を制御することを特徴とする請求項１０記載の画像処理装置。
【請求項１２】
前記符号化手段は符号化すべき前記動画像データの状態に応じて符号量の割り当てを変更する可変ビットレート符号化方式により前記動画像データを符号化し、前記符号量制御手段は、前記符号化動画像データのデータレートを目標データレートに収束させるよう前記符号化手段を制御する第１のモードと、前記目標データレートに対する前記符号化動画像データのデータレートの収束処理を行わない第２のモードとを有し、前記変更手段は前記選択手段の選択結果に応じて前記第１のモードと第２のモードとを切り替えることにより前記符号量制御手段による制御手順を変更することを特徴とする請求項１記載の画像処理装置。
【請求項１３】
前記符号量制御手段は前記符号化動画像データのデータレートが目標データレートとなるように前記符号化手段を制御し、前記変更手段は前記選択手段の選択結果に応じて、前記符号化動画像データのデータレートの算出期間を変更することを特徴とする請求項１記載の画像処理装置。
【請求項１４】
前記変更手段は前記選択手段の選択結果に応じて、前記符号化動画像データのデータレートの算出期間の長さを変更することを特徴とする請求項１３記載の画像処理装置。
【請求項１５】
前記変更手段は、前記選択手段の選択結果に応じて、記録開始の指示からの全ての期間である第１の期間と、前記第１の期間よりも短い第２の期間のうちの一方を選択することを特徴とする請求項１３記載の画像処理装置。
【請求項１６】
前記符号量制御手段は、所定期間における前記符号化動画像データのデータレートが目標データレートとなるよう前記符号化手段を制御する第１のモードと、記録開始後の全ての期間の前記符号化動画像データの平均データレートが前記目標データレートとなるよう前記符号化手段を制御する第２のモードとを有し、前記変更手段は前記選択手段の選択結果に基づいて前記第１のモードと第２のモードを切り替えることにより前記符号量制御手段による制御手順を変更することを特徴とする請求項１記載の画像処理装置。
【請求項１７】
前記符号量制御手段は、記録開始後の全ての期間の前記符号化動画像データのデータ量の情報を用いて前記符号化手段を制御する第１のモードと、前記符号化動画像データのデータ量の情報を用いずに前記符号化手段を制御する第２のモードとを有し、前記変更手段は前記選択手段の選択結果に基づいて前記第１のモードと第２のモードを切り替えることにより前記符号量制御手段による制御手順を変更することを特徴とする請求項１記載の画像処理装置。
【請求項１８】
前記第１の記録媒体と第２の記録媒体は、互いに記録可能なデータ量が異なることを特徴とする請求項１から１７の何れか１項に記載の画像処理装置。
【請求項１９】
撮像手段により得られた動画像データを符号化処理し、互いに記録可能なデータ量が異なる第１の記録媒体と第２の記録媒体の一方に対して前記符号化処理された動画像データを記録する装置であって、
前記第１の記録媒体に対して前記動画像データを記録する場合には記録開始後第１の期間で前記符号化された動画像データのデータレートを目標データレートに収束させるよう前記符号化処理における符号量制御を行い、前記第２の記録媒体に対して前記動画像データを記録する場合には記録開始後前記第１の期間よりも短い第２の期間で前記符号化された動画像データのデータレートを前記目標データレートに収束させるよう前記符号化処理における符号量制御を行うことを特徴とする撮像装置。
【請求項２０】
撮像手段により得られた動画像データを前記動画像データの状態に応じて符号量の割り当てを変更する可変ビットレート符号化方式により符号化処理し、互いに記録可能なデータ量が異なる第１の記録媒体と第２の記録媒体の一方に対して前記符号化処理された動画像データを記録する装置であって、
前記第１の記録媒体に対して前記動画像データを記録する場合には画質を優先して前記符号化処理における符号量制御を行い、前記第２の記録媒体に対して前記動画像データを記録する場合には記録時間の精度を優先して前記符号化処理における符号量制御を行うことを特徴とする撮像装置。